(57)【特許請求の範囲】
【請求項１】
ビデオ信号中の映像信号である第一の映像信号を画面に表示でき、また、電話回線を通じてインターネットからデータを取り込み、該データを映像信号に変換した第二の映像信号を画面に表示するインターネットテレビジョンであって、
画面を２分割することにより、第一の映像信号と第二の映像信号とを同時に表示することのできる合成画面表示手段と、
少なくとも１フレーム分の映像信号に相当する前記データを記憶する記憶手段と、
第一の映像信号がノンインターレースかインターレースかを判定する判定手段と、
前記判定手段によりインターレースと判定されたときには第一の映像信号の出力されるフィールドを判定するフィールド判定手段と、
前記判定手段によりインターレースと判断されたときは、前記フィールド判定手段によって判定されたフィールドに該当する表示走査ラインのデータが前記記憶手段から読み出されて、前記合成画面表示手段に出力され、前記判定手段によりノンインターレースと判定されたときは、表示のための垂直同期信号に基づき前記記憶手段に記憶された奇数フィールド及び偶数フィールドに該当するデータをフィールドごとに交互に前記合成画面表示手段へ出力するように制御する制御手段とを備えてなることを特徴とするインターネットテレビジョン。
【請求項２】
前記判定手段は映像信号の水平同期信号と垂直同期信号の相関関係により現フィールドとその前のフィールドが奇数又は偶数の同じフィールドか異なるフィールドかの比較により判定することを特徴とする請求項１に記載のインターネットテレビジョン。
【請求項３】
前記判定手段によりノンインターレースと判定されたときは、その前のフィールドと異なるフィールドの該当するデータを前記記憶手段から読み出すことを特徴とする請求項２記載のインターネットテレビジョン。
【請求項４】
前記合成画面表示手段は、ビデオ水平方向圧縮手段及びデータ水平方向圧縮手段を含み、前記ビデオ水平方向圧縮及び前記データ水平方向圧縮手段は、それぞれ走査線毎の映像信号を記憶するラインメモリを有し、前記ビデオ水平方向圧縮手段は、前記ビデオ信号から抽出した水平同期信号の逓倍周波数の書込みクロックにより書込み、該書込みクロックの２倍の周波数の読出し、前記データ水平方向圧縮手段は、前記ビデ
オ信号から抽出した水平同期信号及び垂直同期信号に基づくタイミングによりＤＭＡを行うことにより書込み、前記記憶手段は前記ビデオ信号から抽出した水平同期信号及び垂直同期信号に基づくタイミングによりＤＭＡを行うことにより読出す請求項２乃至３に記載のインターネットテレビジョン。
【発明の詳細な説明】
【０００１】
【発明の属する技術分野】
本発明は、ビデオ信号中の映像信号を画面に表示し、また、電話回線を通じてインターネットからデータを取り込み、映像信号に変換して画面に表示するインターネットテレビジョンに関するものである。
【０００２】
【従来の技術】
インターネットは、世界的な規模で多数のコンピュータが接続されたネットワークであり、それぞれのコンピュータには読み出すことができる様々な情報が蓄えられている。この情報には、電子メール、各種プログラム及びホームページ等があり、双方向で通信することができる。ホームページは、１つの情報の表紙及び目次に当たるものであり、ホームページ上の絵（アイコン）及び単語を選択することにより、必要な情報を検索していくことができる。
【０００３】
図８は、それぞれのコンピュータとインターネットとの接続例を説明するための説明図である。この接続例では、パーソナルコンピュータ７は、モデム８又はターミナルアダプタを介して電話回線２に接続され、この電話回線２により、接続サービス会社であるプロバイダのモデム３又はターミナルアダプタに接続される。モデム３は、プロバイダのコンピュータであるサーバー４に接続されている。
【０００４】
サーバー４は、インターネット６に２４時間接続されており、中継経路を設定するためのルーター５を介してインターネット６に接続されている。
【０００５】
パーソナルコンピュータ７からは、必要なときに電話をかけて、プロバイダのサーバー４経由でインターネット６に接続する（ダイヤルアップ接続）。
【０００６】
近時、このインターネット６にパーソナルコンピュータ７の代わりに接続し、その画面にインターネットの様々な情報を表示できるインターネットテレビジョンが提案されている。
【０００７】
ところで、インターネットでは、回線の混み具合によっては、所望の情報源と接続するのに時間がかかることがあり、インターネットテレビジョンでは、テレビジョン放送の番組とインターネットの画面とを同時に見たいことも起こり得る。そのため、所望の情報源と接続できるまで、テレビジョン番組とインターネットの画面とを同時に表示したり、また、接続動作中に限らず、いつでもテレビジョン番組とインターネットの画面とを同時に表示できるインターネットテレビジョンの実現が望まれていた。
【０００８】
そこで、本出願人は、上述したような事情に鑑みて、テレビジョン番組とインターネットの画面とを同時に表示できる簡易な構成のインターネットテレビジョンを特願平８−２０６２２２号を提案した。以下に本出願人の提案したインターネットテレビジョンを説明する。
【０００９】
図１は、本発明に係るインターネットテレビジョンとインターネットとの接続例を説明するための説明図である。この接続例では、リモートコントロール装置２０ａにより遠隔操作されるインターネットテレビジョン１が、電話回線２に接続される。インターネットテレビジョン１には、モデムが内蔵されている。電話回線２は、接続サービス会社であるプロバイダのモデム３又はターミナルアダプタに接続され、モデム３は、プロバイダのコンピュータであるサーバー４に接続されている。
【００１０】
サーバー４は、インターネット６に２４時間接続されており、中継経路を設定するためのルーター５を介してインターネット６に接続されている。
【００１１】
インターネットテレビジョン１からは、リモートコントロール装置２０ａが操作されると、自動的に電話の呼出し動作が行われ、プロバイダのサーバー４経由でインターネット６に接続する（ダイヤルアップ接続）。
【００１２】
図２は、本発明に係るインターネットテレビジョンの実施の形態の要部構成を示すブロック図である（音声関係は省略）。このインターネットテレビジョン１は、アンテナ１０ａにより受信されたテレビジョン電波がチューナ１０で選局され、選局されたテレビジョン電波は、映像中間周波・検波回路１１によりビデオ信号が検波される。検波されたビデオ信号は、ビデオクロマ処理部１２により輝度信号Ｙ及び色差信号Ｂ−Ｙ，Ｒ−Ｙが抽出される。
【００１３】
抽出された輝度信号Ｙ及び色差信号Ｂ−Ｙ，Ｒ−Ｙは、ビデオ信号処理部１３により赤、緑及び青の各色信号Ｒ，Ｇ，Ｂに変換される。この各色信号Ｒ，Ｇ，Ｂは、切替部１４を介して、ＲＧＢマトリクス１５に与えられ、各色毎にＣＲＴ１７に出力される。
【００１４】
映像中間周波・検波回路１１により検波されたビデオ信号は、また、同期分離偏向処理部１６にも与えられ、垂直同期信号及び水平同期信号が抽出される。抽出された垂直同期信号及び水平同期信号は、ＣＲＴ１７に与えられ、画面走査の同期信号として使用される。
【００１５】
ビデオ信号処理部１３により変換された各色信号Ｒ，Ｇ，Ｂは、また、切替部１４を介して、ビデオ水平方向圧縮手段であるＴＶ映像水平圧縮部１８に与えられる。ＴＶ映像水平圧縮部１８は、走査線毎の映像信号を記憶するラインメモリを有し、同期分離偏向処理部１６から与えられた水平同期信号の逓倍周波数である４ｆｓｃ（ｆｓｃ＝色副搬送波の周波数）の書込みクロックを作成しこれにより映像信号を書込む。映像信号を読出すときは、書込みクロックの２倍の周波数８ｆｓｃの読出しクロックを作成しこれにより読出して、映像合成手段である映像左右合成部１９に与える。
【００１６】
一方、通信回線２４に接続されたインターネット処理部２２は、通信回線２４経由で与えられたデータから映像信号の赤、緑及び青の各色信号Ｒ，Ｇ，Ｂを抽出し、この各色信号Ｒ，Ｇ，Ｂは、切替部２３を介して、ＲＧＢマトリクス１５に与えられ、各色毎にＣＲＴ１７に出力される。インターネット処理部２２は、インターネットの画面のみを表示する場合は、独自に垂直同期信号及び水平同期信号を作成し、この垂直同期信号及び水平同期信号は、ＣＲＴ１７に与えられ、画面走査の同期信号として使用される。
【００１７】
インターネット処理部２２は、リモートコントロール装置２０ａからの指示がある場合は、ＤＭＡにより映像信号を後述するラインメモリであるビデオＦＩＦＯ２９（図３）に書込む。この場合、インターネット処理部２２は、書込み制御部２７から与えられた書込みタイミングにより映像信号を書込み、ＴＶ映像水平圧縮部１８から与えられた水平同期信号の逓倍周波数である８ｆｓｃの周波数の読出しクロックにより読出し、切替部２３を介して映像左右合成部１９に与える。
【００１８】
インターネット処理部２２により出力された各色信号Ｒ，Ｇ，Ｂは、また、切替部２３を介して、映像左右合成部１９に与えられる。
【００１９】
映像左右合成部１９は、ＴＶ映像水平圧縮部１８及びインターネット処理部２２からそれぞれ与えられた映像信号を水平方向へ合成し、この合成した映像信号は、ＲＧＢマトリクス１５に与えられ、各色毎にＣＲＴ１７に出力される。
【００２０】
選局ＣＰＵ２０は、リモートコントロール装置２０ａからの光信号、電波信号等による指示に従って、チューナ１０に選局指示信号を出力すると共に、インターネット処理部２２との信号の授受を行い、インターネットテレビジョン１を操作制御する。また、必要に応じて、オンスクリーンディスプレイ制御部２１にも指示信号を出力して、オンスクリーンディスプレイ制御部２１から映像信号をＲＧＢマトリクス１５に与えさせる。
【００２１】
図３は、インターネット処理部２２の構成を示すブロック図である。このインターネット処理部２２は、通信回線２４に接続されたモデム４１がＣＰＵ３８に接続され、ＣＰＵ３８は、バス４０を介して、ＲＡＭ３７、ＲＯＭ３９、クロック発生器２６、Ｉ／Ｏポート３（３４ａ）及びゲートアレー３６と接続されている。
【００２２】
ＲＡＭ３７は、モデム４１経由で得たデータの画像信号その他を記憶し、ＲＯＭ３９は、インターネット処理部２２の処理プログラム及びこのインターネットテレビジョン１独自の画面の画像信号等を記憶している。
【００２３】
同期信号作成部２５は、クロック発生器２６から出力されるクロックを基にインターネット処理部２２独自の垂直同期信号及び水平同期信号を作成し、ゲートアレー３６に与える。クロック発生器２６は、８ｆｓｃのクロックを作成し、ゲートアレー３６に与える。
【００２４】
Ｉ／Ｏポート３（３４ａ）は、インターネットの画面をフル表示画面に表示するモードと、テレビジョン番組及びインターネットの画面を同時に表示するモードとの切替信号を出力する。
【００２５】
ゲートアレー３６は、ラインメモリであるビデオＦＩＦＯ２９と、ＴＶ映像水平圧縮部１８又は同期信号作成部２５から垂直同期信号及び水平同期信号を与えられ、ＴＶ映像水平圧縮部１８又はクロック発生器２６からクロックを与えられて、ビデオＦＩＦＯ２９の書込み制御を行う書込み制御部２７と、ＴＶ映像水平圧縮部１８又は同期信号作成部２５から垂直同期信号及び水平同期信号を与えられ、ＴＶ映像水平圧縮部１８又はクロック発生器２６から読出しクロックを与えられて、ビデオＦＩＦＯ２９の読出し制御を行う読出し制御部２８とを有している。
【００２６】
ゲートアレー３６は、また、選局ＣＰＵ２０との信号の授受を行うＩ／Ｏポート１（３１）と、Ｉ／Ｏポート１（３１）からの信号及び垂直同期信号をＣＰＵ３８の割込み信号として出力する割込み制御部３０と、電話番号、ＩＤ、パスワード及び通信履歴等を記憶するＥＥＰＲＯＭ３３と信号の授受を行うＩ／Ｏポート２（３２）とを有している。
【００２７】
読出し制御部２８は、与えられた垂直同期信号及び水平同期信号の関係から、次に表示すべきフィールドがＯｄｄ又はＥｖｅｎの何れであるかを判定し、その判定結果を垂直同期信号の割込みタイミングで、割込み制御部３０によってＣＰＵ３８に与える。
【００２８】
ビデオＦＩＦＯ２９から読出された各色信号Ｒ，Ｇ，Ｂは、それぞれカラーパレット３５により、精細に色付けされて、切替部２３へ出力される。
【００２９】
以下に、このような構成のインターネットテレビジョン１の動作を説明する。
【００３０】
インターネットテレビジョン１は、選局ＣＰＵ２０により、通常のテレビジョンとして作動するモードが指定された場合、アンテナ１０ａにより受信されたテレビジョン電波が、選局ＣＰＵ２０からの指示により、チューナ１０で選局される。選局されたテレビジョン電波は、映像中間周波・検波回路１１によりビデオ信号が検波され、検波されたビデオ信号からは、ビデオクロマ処理部１２により輝度信号Ｙ及び色差信号Ｂ−Ｙ，Ｒ−Ｙが抽出される。
【００３１】
抽出された輝度信号Ｙ及び色差信号Ｂ−Ｙ，Ｒ−Ｙは、ビデオ信号処理部１３により赤、緑及び青の各色信号Ｒ，Ｇ，Ｂに変換される。この各色信号Ｒ，Ｇ，Ｂは、切替部１４を介して、ＲＧＢマトリクス１５に与えられ、各色毎にＣＲＴ１７に出力される。
【００３２】
映像中間周波・検波回路１１により検波されたビデオ信号からは、同期分離偏向処理部１６により垂直同期信号及び水平同期信号が抽出される。抽出された垂直同期信号及び水平同期信号は、ＣＲＴ１７に与えられ、各色信号Ｒ，Ｇ，Ｂを画面走査する時の同期信号として使用される。
【００３３】
インターネットテレビジョン１は、選局ＣＰＵ２０により、インターネットテレビジョンとして作動するモードが指定された場合、ＣＰＵ３８が割込み制御部３０により割込みを掛けられる。ＣＰＵ３８は、割込みを掛けられると、ＲＯＭ３９から初期画面の１画面分の画像信号を読出し、ＲＡＭ３７へセットする。また、クロック発生器２６はクロックを出力させ、書込み制御部２７及び読出し制御部２８に与える。
【００３４】
また、ＣＰＵ３８は、Ｉ／Ｏポート３（３４ａ）から切替信号を出力し、切替部１４からの出力を停止させ、ＲＧＢマトリクス１５への入力を切替部２３とオンスクリーンディスプレイ制御部２１とからのみに切替る。
【００３５】
割込み制御部３０は、読出し制御部２８から水平同期信号を与えられる都度、ＣＰＵ３８が内蔵するＤＭＡコントローラを作動させ、ＤＭＡによりＲＡＭ３７から１走査線分の映像信号の各色信号Ｒ，Ｇ，Ｂを読出させ、ビデオＦＩＦＯ２９に与える。ビデオＦＩＦＯ２９では、この各色信号Ｒ，Ｇ，Ｂを、書込み制御部２７が作るタイミングによりそれぞれ書込み、読出し制御部２８が４ｆｓｃの読出しクロックによりそれぞれ読出し、読出された各色信号Ｒ，Ｇ，Ｂは、切替部２３を介して、ＲＧＢマトリクス１５に与えられ、各色毎にＣＲＴ１７に出力される。
【００３６】
同期信号作成部２５は、１画面表示のとき、垂直同期信号及び水平同期信号をＣＲＴ１７に与え、これらは、各色信号Ｒ，Ｇ，Ｂを画面走査する時の同期信号として使用される。
【００３７】
このとき、ＤＭＡコントローラは、図４に示すように、ＣＲＴ１７の表示画面への表示が始まる１ライン前（図４の右上）から、ＤＭＡにより映像信号の各色信号Ｒ，Ｇ，ＢをＲＡＭ３７から読出させ、ＣＲＴ１７の表示画面に表示されない無効表示領域Ｂの期間（水平帰線期間）中に、ビデオＦＩＦＯ２９への書込みを終了し、ＣＲＴ１７の表示画面に表示される有効表示領域Ａの期間中は、読出し制御部２８がビデオＦＩＦＯ２９からの読出しを行う。
【００３８】
また、読出し制御部２８は、垂直同期信号の割込みタイミングで、次に表示すべきフィールドがＯｄｄ又はＥｖｅｎの何れであるかの判定結果１を、割込み制御部３０経由でＣＰＵ３８のＤＭＡコントローラに与える。ＤＭＡコントローラは、この結果に従って、読出す映像信号のＲＡＭ３７内のアドレスをセットする。
【００３９】
上述した動作の結果、ＣＲＴ１７の表示画面には、図５に示すような初期画面が表示される。操作者が、この初期画面の「お店情報」「旅行・観光」「ニュース」「学習」「娯楽」「地域と企業情報」「オリジナル」「検索」「電子メール」の各絵（アイコン）の中から、リモートコントロール装置２０ａを操作して、例えば、「旅行・観光」の絵を選択し決定すると、インターネット処理部２２は、初期画面のときと同様にして、図７に示すような「旅行・観光」の選択画面を表示する。以下、同様にして、選択画面において選択され決定される都度、ツリー状に選択肢に連なった同様の下位選択画面が表示される。
【００４０】
リモートコントロール装置２０ａは、初期画面（図５）の下部に表示された絵４２のように、上面の右端に選択釦（４３）、左端に決定釦（４４）、中央部に各種の操作釦（４５）を備えている。選択釦は、「指さし手」のポインター又はカーソル等の位置を８方向へ自在に移動させることが可能であり、決定釦が操作されたときのポインター又はカーソル等と重なる絵（釦形の絵も含む）又は文字列で表示される項目が選択決定される。
【００４１】
選択画面において選択決定され検索が進むと、検索された項目に関連した絵が、ＲＯＭ３９及びＥＥＰＲＯＭ３３から読出され表示画面に表示される。操作者が、リモートコントロール装置２０ａを操作して、この絵の中から選択決定すると、ＣＰＵ３８が、ＥＥＰＲＯＭ３３からプロバイダーのサーバー４の電話番号を読出し、電話の呼出し動作を行い、プロバイダのサーバー４とインターネット処理部２２とが接続される。プロバイダのサーバー４と接続されると、選択決定された絵に対応するＵＲＬが呼出され接続される。
【００４２】
接続されたＵＲＬのホームページのデータが通信回線２４及びモデム４１経由で送られて来ると、ＣＰＵ３８は、このデータを画像信号に変換しＲＡＭ３７にセットする。ＲＡＭ３７にセットされた画像信号は、初期画面の場合と同様にして、表示画面に表示される。
【００４３】
登録されていないＵＲＬを呼出す場合は、後述するブラウザのメニュー画面の「ＵＲＬ入力」を選択決定して、そのＵＲＬを入力する。
【００４４】
電話及びＵＲＬの呼出し動作中は、図８（ａ）に示すようなブラウザのメニュー画面が上端部に表示された基本図の中央部に、「データ読出し中です」の表示を行う。
【００４５】
ここで、例えば、初期画面（図５）が表示されているときに、選局ＣＰＵ２０により、通常のテレビジョン番組とインターネットの画面とを同時に表示するモードが指定された時、インターネットテレビジョン１では、ＣＰＵ３８が割込み制御部３０により割込みを掛けられる。ＣＰＵ３８は、割込みを掛けられると、Ｉ／Ｏポート３（３４ａ）から切替信号を出力し、切替部１４からの出力及び切替部２３からの出力をそれぞれＴＶ映像水平圧縮部１８へ切替える。
【００４６】
インターネットテレビジョン１は、ビデオ信号処理部１３により赤、緑及び青の各色信号Ｒ，Ｇ，Ｂに変換された各色信号Ｒ，Ｇ，Ｂを、切替部１４を介して、ＴＶ映像水平圧縮部１８に与える。
【００４７】
ＴＶ映像水平圧縮部１８は、同期分離偏向処理部１６から与えられた水平同期信号の逓倍周波数である４ｆｓｃの書込みクロックを作成しこれにより映像信号の各色信号Ｒ，Ｇ，Ｂをそれぞれ書込む。映像信号の各色信号Ｒ，Ｇ，Ｂを読出すときは、書込みクロックの２倍の周波数８ｆｓｃの読出しクロックを作成しこれにより、各色信号Ｒ，Ｇ，Ｂを走査線の開始端からそれぞれ読出して、映像左右合成部１９に与える。
【００４８】
一方、インターネット処理部２２は、通常のテレビジョン番組とインターネットの画面とを同時に表示するモードが指定され、ＣＰＵ３８が、割込みを掛けられると、ＲＯＭ３９から初期画面の１画面分の画像信号を読出し、ＲＡＭ３７へセットし、また、クロック発生器２６を停止させる。
【００４９】
そして、インターネット処理部２２は、ＴＶ映像水平圧縮部１８から垂直同期信号、水平同期信号及び８ｆｓｃのクロックを与えられる。
【００５０】
割込み制御部３０は、読出し制御部２８から水平同期信号を与えられる都度、ＣＰＵ３８が内蔵するＤＭＡコントローラを作動させ、ＤＭＡによりＲＡＭ３７から１走査線分の映像信号の各色信号Ｒ，Ｇ，Ｂを読出させ、ビデオＦＩＦＯ２９に与える。ビデオＦＩＦＯ２９では、この各色信号Ｒ，Ｇ，Ｂを、書込み制御部２７が作るタイミングによりそれぞれ書込み、読出し制御部２８が８ｆｓｃの読出しクロックにより、映像信号を走査線の中間点のタイミングから読出して、それぞれ読出し、読出された各色信号Ｒ，Ｇ，Ｂは、切替部２３を介して、映像左右合成部１９に与えられる。
【００５１】
映像左右合成部１９は、ＴＶ映像水平圧縮部１８及びインターネット処理部２２からそれぞれ与えられた映像信号を水平方向へ合成し、この合成した映像信号は、ＲＧＢマトリクス１５に与えられ、各色毎にＣＲＴ１７に出力される。これにより、図６に示すように、表示画面の左半分に通常のテレビジョン番組が、右半分にインターネットの画面がそれぞれ表示される。これは、インターネットの初期画面に限らず、インターネットのどのような画面のときにも可能である。
【００５２】
割込み制御部３０は、読出し制御部２８から垂直同期信号及び水平同期信号が与えられないときは、テレビジョン番組がオフされたと判断し、割込みによりＣＰＵ３８へこのことを通知する。ＣＰＵ３８はこの通知により、クロック発生器２６を作動させて、垂直同期信号、水平同期信号及び８ｆｓｃのクロックを、書込み制御部２７及び読出し制御部２８に与えさせ、引き続き、表示画面の右半分にインターネットの画面を表示させる。
【００５３】
その他のインターネットテレビジョン１の動作は、前述した通常のテレビジョンとして作動するモード及びインターネットの画面をフル表示画面に表示するモードの場合と同様であるので、説明を省略する。
【００５４】
【発明が解決しようとする課題】
ところで、最近、テレビジョン受像機では、テレビジョン放送によるテレビジョン番組を見るだけでなく、ＶＴＲ（ビデオ・テープ・レコーダ）やＬＤ（レーザ・ディスク）からの映像信号やコンピュータゲーム機からの映像信号をみる機会が多くなってきた。
【００５５】
このような多くの信号源の映像信号の中には、通常のテレビジョン放送のようにインターレースされた信号だけでなく、ノンインターレースの信号もある。特に、ＶＴＲやＬＤのブルーバックの信号やコンピュータゲーム機の映像信号などがそうである。
【００５６】
この場合、インターネットテレビジョンでテレビジョン画面ではノンインターレースの映像信号をインターネット画面ではインターネットの映像信号とを分割して左右に表示するような時に、インターネット回路にあるビデオＦＩＦＯ回路は、テレビジョン画面の映像信号による同期信号に基づいて作成されるタイミングでインターネットの映像信号が出力されることになる。
【００５７】
一方、ビデオＦＩＦＯは、上述した如くテレビジョン画面の映像信号の水平同期信号と垂直同期信号を用いているのと同時にＯｄｄ／Ｅｖｅｎを判定した判定結果を用いて垂直同期期間の割込処理をしてＤＭＡするＲＡＭのアドレスの制御を行い、Ｏｄｄ／Ｅｖｅｎのライン毎にインターネット画面の表示を行わせしめるようになっている。
【００５８】
このためテレビジョン画面がノンインターレースの映像信号であると先ほど説明したＯｄｄ／Ｅｖｅｎが判定できないので、ビデオＦＩＦＯは、Ｏｄｄ／Ｅｖｅｎのいずれかのフィールドの映像信号のみを各フィールド毎に出力することになる（例えば、ＯｄｄだけではＯｄｄフィールドのみを出力する）。
【００５９】
その結果、インターネットの画面が片フィールドのみしか走査されず、垂直解像度が１／２になり、表示がつぶれてしまう。特に、インターネット画面では画像の他文字などがあるので余計見づらい。
【００６０】
本願発明は、上述した欠点に鑑みなされたものであり、左右に２分割して表示できるインターネットテレビジョンにおいて、２分割画面の一方にテレビジョン画面でノンインターレスの映像信号が入力されても、他方のインターネット画面の垂直方向の画像データを欠落させることなく表示することができるようにすることを目的とする。
【００６１】
【問題を解決するための手段】
本発明は、ビデオ信号中の映像信号である第一の映像信号を画面に表示でき、また、電話回線を通じてインターネットからデータを取り込み、該データを映像信号に変換した第二の映像信号を画面に表示するインターネットテレビジョンであって、
画面を２分割することにより、第一の映像信号と第二の映像信号とを同時に表示することのできる合成画面表示手段と、
少なくとも１フレーム分の映像信号に相当する前記データを記憶する記憶手段と、
第一の映像信号がノンインターレースかインターレースかを判定する判定手段と、
前記判定手段によりインターレースと判定されたときには第一の映像信号の出力されるフィールドを判定するフィールド判定手段と、
前記判定手段によりインターレースと判断されたときは、前記フィールド判定手段によって判定されたフィールドに該当する表示走査ラインのデータが前記記憶手段から読み出されて、前記合成画面表示手段に出力され、前記判定手段によりノンインターレースと判定されたときは、表示のための垂直同期信号に基づき前記記憶手段に記憶された奇数フィールド及び偶数フィールドに該当するデータをフィールドごとに交互に前記合成画面表示手段へ出力するように制御する制御手段とを備えてなることを特徴とするインターネットテレビジョンである。
【００６２】
また、本発明は、前記判定手段は映像信号の水平同期信号と垂直同期信号の相関関係により現フィールドとその前のフィールドが奇数又は偶数の同じフィールドか異なるフィールドかの比較により判定することを特徴とする請求項１記載のインターネットテレビジョンである。
【００６３】
また、本発明は、前記判定手段によりノンインターレースと判定されたときは、その前のフィールドと異なるフィールドの該当するデータを前記記憶手段から読み出すことを特徴とする上記のインターネットテレビジョンである。
【００６４】
また、本発明は、前記合成画面表示手段は、ビデオ水平方向圧縮手段及びデータ水平方向圧縮手段を含み、前記ビデオ水平方向圧縮及び前記データ水平方向圧縮手段は、それぞれ走査線毎の映像信号を記憶するラインメモリを有し、前記ビデオ水平方向圧縮手段は、前記ビデオ信号から抽出した水平同期信号の逓倍周波数の書込みクロックにより書込み、該書込みクロックの２倍の周波数の読出し、前記データ水平方向圧縮手段は、前記ビデオ信号から抽出した水平同期信号及び垂直同期信号に基づくタイミングによりＤＭＡを行うことにより書込み、前記記憶手段は前記ビデオ信号から抽出した水平同期信号及び垂直同期信号に基づくタイミングによりＤＭＡを行うことにより読出す上記のインターネットテレビジョンである。
【００６５】
【発明の実施の形態】
以下に、本発明を、その実施の形態を示す図面に基づき説明する。本発明のブロック図は図２と図３の構成と同じであり、ＣＰＵ３８の動作が従来技術と異なる。このＣＰＵ３８の動作を図９乃至図１２のフローチャート図と画面表示例を参照しながら説明する。
【００６６】
まず、インターネットテレビジョンが２分割画面でテレビジョン画面とインターネット画面を表示している場合では、テレビジョン画面の映像信号の同期信号に基づいてインターネット処理部２２が動作する。即ち、この同期信号は、ゲートアレー３６に入力され、書込み制御部２７と読出し制御部２８に入力される。そして、ビデオＦＩＦＯ２９に対してのインターネット画面の映像信号のデータの書込みと読出しの制御を行い、カラーバレット３５からＲＧＢ信号をテレビジョン画面の同期信号に同期して出力することで、２分割した画面の一方にインターネット画面の映像信号を表示できる。
【００６７】
この時、読出し制御部２８は、与えられた垂直同期信号及び水平同期信号の関係から、次に表示すべきフィールドがＯｄｄ又はＥｖｅｎであるかを判定して、その結果を垂直同期信号の割込みタイミングで、割込み制御部３０によってＣＰＵ３８に与える。このようにして、テレビジョン画面の映像信号の走査ラインに応じてインターネット画面が正しく表示できる。
【００６８】
ここで、このＯｄｄ又はＥｖｅｎの時のＣＰＵ３８の動作を図９と図１０のフローチャート図を参照しながら説明をする。テレビジョン画面の映像信号の垂直同期信号が読出し制御部２８に入力されると、割込み制御部３０に出力する。割込み制御部３０は垂直同期間に割込みタイミングをＣＰＵ３８へ送る（Ｓ１）。
【００６９】
また、読出し制御部２８は、水平同期信号と垂直同期信号との関係により、  Ｏｄｄ又はＥｖｅｎを判定して、割込み制御部３０によってＣＰＵ３０に与えられる（Ｓ２）。
【００７０】
次に、ＣＰＵ３８はフィールドがＯｄｄ“１”であれば（Ｓ３）、ＣＰＵ３８に内蔵されているのＤＭＡコントローラを作動させて、ＲＡＭ３７に記憶されているインターネット画像のデータの走査線の先頭がＯｄｄのラインからのデータをビデオＦＩＦＯ２９へ転送して、ＲＧＢ信号を出力する（Ｓ４）。一方、フィールドがＥｖｅｎ“０”であれば（Ｓ３）、ＲＡＭ３７に記憶されているインターネット画面のデータ走査線の先頭がＥｖｅｎのライン（２ライン目）からのデータをビデオＦＩＦＯ２９へ転送して、ＲＧＢ信号を出力する（Ｓ４）。以上の動作により走査開始のタイミングを設定した後、垂直同期期間の割込みはクリアされることになる（Ｓ６）。
【００７１】
また、走査ライン毎のデータの読出しは図１０にしめされるようになる。即ち、上述したように走査ラインの開始が決まると、読込み制御部２８が水平同期信号に基づいて割込み制御部３０にＤＭＡ割込みをするようＣＰＵ３８に情報を伝送する（Ｓ７）。すると、ＣＰＵ３８はＤＭＡコントローラを動作させ、先頭のラインに相当するラインから２ライン加えたラインの相当するデータをＲＡＭ３７からビデオＦＩＦＯ２９に転送して、カラーパレット３５からＲＧＢ信号を出力する（Ｓ８）。水平同期信号期間が終了すると、割込みがクリアされる（Ｓ９）。
【００７２】
尚、次の水平同期信号が入力されると、上述した動作を繰り返して行うが、次に転送するラインは、前述したラインに更に２ライン加えたラインに相当するデータが転送される。
【００７３】
この動作を表示例で示すと、図１２（Ａ）に示すように（この図では、説明の簡素化のため全画面を８ラインとしている）、ＤＭＡコントローラは、フィールドがＯｄｄである場合は、先頭が１ラインで順次３ライン，５ライン，７ラインと言う順番にデータを転送し、フィールドがＥｖｅｎである場合は、先頭が２ラインで順次，４ライン，６ライン，８ラインと言う順番にデータを転送する。
【００７４】
以上のようにしてインターレースのテレビジョン画面の場合は動作するが、ノンインターレースの場合は、フィールドが判定できないので、データの読出しは片方のフィールドのみとなる。例えば、図１２（Ｂ）に示すようにＯｄｄのみのデータのみ読み出すことになり、垂直解像度は１／２に低下する。
【００７５】
そこで、図９にあるフィールド判定のステップ（Ｓ２）を図１１のようにする。即ち、読出し制御部２８で垂直同期信号と水平同期信号との関係からフィールドを判定する（Ｓ１０）。そして、そのフィールドの判定結果に基づきフラグ（Ｆｌｇ）をＯｄｄであれば“１”、Ｅｖｅｎであれば“０”とする（Ｓ１１）。
【００７６】
次に、このフィールド判定結果で得られたフラグ（Ｆｌｇ）が前フィールド得られたフィールド判定結果として記憶しているＧｅｔＦｉｅｌｄと同じか否かを判断して（Ｓ１２）、前のフィールドと同じであれば、ノンインターレスであると判断して、前のフィールドで実際に表示したフィールドであるＤｓｐＦｉｅｌｄに対して反対のフィールドとなるようにする（Ｓ１３）。
【００７７】
逆に、前のフィールドと同じでなければ、インターレスであると判断して、前フィールド得られたフィールド判定結果として記憶しているＧｅｔＦｉｅｌｄをこの判定結果で得られたフラグ（Ｆｌｇ）をＧｅｔＦｉｅｌｄとして、実際に表示するフィールド（ＤｉｓＦｉｅｌｄ）はその得られたフィールドとする（Ｓ１４）。そして、それぞれＧｅｔＦｉｅｌｄやＤｓｐＦｉｅｌｄは記憶される（Ｓ１５）。
【００７８】
このようにすれば、ＤＭＡコントローラは、垂直同期期間の割込みでのフィールドの判定の際に、前のフィールドの判定結果と同じであれば強制的に違うフィールドのＲＡＭ３７のデータを読出して表示するように制御される。
【００７９】
従って、ノンインターレースの画面の表示例は図１２（Ｃ）のようにフィールドがＯｄｄであると判定し続けると、１フィールド目の表示のＯｄｄのフィールドにＲＡＭ３７のデータの１ライン，３ライン，５ライン，７ラインの表示を行い、２フィールド目の表示は、同じＯｄｄフィールドの表示位置にＲＡＭ３７のデータの２ライン，４ライン，６ライン，８ラインの表示を行う。そうすることで、３ライン目に４ラインのデータが表示されることになり、従来技術に比較して垂直方向の画像データが欠落することがなくなり、表示がぼやけることも少ない。
【００８０】
【発明の効果】
以上、本願発明によれば、ノンインターレースのテレビジョンの映像信号に同期してインターネット画面を同時に表示する際に、インターネット画面の映像信号の表示で垂直方向の画像データを欠落させることなく表示することができる。
【図面の簡単な説明】
【図１】従来技術に係るインターネットテレビジョンとインターネットとの接続例を説明するための説明図である。
【図２】従来技術に係るインターネットテレビジョンの実施の形態の構成を示すブロック図である。
【図３】インターネット処理部の構成を示すブロック図である。
【図４】ＤＭＡコントローラが映像信号を転送する動作を説明するための説明図である。
【図５】従来技術に係るインターネットテレビジョンの初期画面を説明するための説明図である。
【図６】表示画面の左半分に通常のテレビジョン番組が、右半分にインターネットの画面がそれぞれ表示された状態を説明するための説明図である。
【図７】「旅行・観光」の選択画面を説明するための説明図である。
【図８】コンピュータとインターネットとの接続例を説明するための説明図である。
【図９】本発明のＤＭＡコントローラの垂直同期信号期間毎の動作を示すフローチャート図。
【図１０】本発明のＤＭＡコントローラの水平同期信号期間毎の動作を示すフローチャート図。
【図１１】本発明のフィールド判定によるＤＭＡコントローラの動作を示すフローチャート図。
【図１２】本発明のインターネットテレビジョンの画面の表示例を示す図。
【符号の説明】
１  インターネットテレビジョン
１４，２３  切替部（切替手段）
１５  ＲＧＢマトリクス
１７  ＣＲＴ
１８  ＴＶ映像水平圧縮部（ビデオ水平方向圧縮手段）
１９  映像左右合成部（映像合成手段）
２０  選局ＣＰＵ
２０ａ  リモートコントロール装置
２２  インターネット処理部（データ水平方向圧縮手段）
２４  通信回線（電話回線）
２５  同期信号作成部
２６  クロック発生器
２７  書込み制御部
２８  読出し制御部
２９  ビデオＦＩＦＯ
３０  割込み制御部
３７  ＲＡＭ
３８  ＣＰＵ
３８ａ  ＤＭＡコントローラ
４１  モデム
５０  Ｉ／Ｏポート４
５１  論理積回路
【図１】
0003599920.tif 000002
【図２】
0003599920.tif 000003
【図３】
0003599920.tif 000004
【図４】
0003599920.tif 000005
【図５】
0003599920.tif 000006
【図６】
0003599920.tif 000007
【図７】
0003599920.tif 000008
【図８】
0003599920.tif 000009
【図９】
0003599920.tif 000010
【図１０】
0003599920.tif 000011
【図１１】
0003599920.tif 000012
【図１２】
0003599920.tif 000013